(57)【要約】【課題】被験者が有効な運動をどの程度行っているのかが分かり、効果的な運動指針を得ることができる運動状態管理システムを実現する。【解決手段】単位時間当たりの脈拍数を測定する携帯型脈拍計１と、該測定された脈拍数データをファイル化して転送する携帯型データ転送装置２と、該ファイル内の脈拍数の時系列データの中から有効な運動状態の部分を抽出する運動状態抽出機能及び該抽出データに基づいて運動状態を分析し、分析結果を出力する運動状態分析機能を有する脈拍データ処理装置４とを備える。【選択図】    図１
2004350947.tif 000002
【特許請求の範囲】
【請求項１】
単位時間当たりの脈拍数を測定する脈拍測定手段と、
前記脈拍測定手段によって測定された脈拍数データを蓄積するデータ蓄積手段と、
前記データ蓄積手段による脈拍数の時系列データの中から有効な運動状態の部分を抽出する運動状態抽出手段と、
前記運動状態抽出手段による抽出データに基づいて運動状態を分析し、分析結果を出力する運動状態分析手段と、
を備えたことを特徴とする運動状態管理システム。
【請求項２】
前記脈拍測定手段は携帯可能であり、
前記脈拍測定手段の測定データを無線により転送する携帯可能な無線送信手段と、
前記無線送信手段からの受信データを前記データ蓄積手段へ出力する無線受信手段と、
を備えたことを特徴とする請求項１に記載の運動状態管理システム。
【請求項３】
前記脈拍測定手段及び前記データ蓄積手段は携帯可能であり、
前記データ蓄積手段の蓄積データを無線により転送する携帯可能な無線送信手段と、
前記無線送信手段からの受信データを前記運動状態抽出手段へ出力する無線受信手段と、
を備えたことを特徴とする請求項１に記載の運動状態管理システム。
【請求項４】
単位時間当たりの脈拍数を測定する脈拍測定手段と、
前記脈拍数の被測定者の体動を測定する体動測定手段と、
前記脈拍測定手段によって測定された脈拍数データと、前記脈拍数データと同時に前記体動測定手段によって測定された体動データとを対応付けて蓄積するデータ蓄積手段と、
前記データ蓄積手段による脈拍数の時系列データの中から有効な運動状態の部分を抽出する運動状態抽出手段と、
前記運動状態抽出手段による抽出データに基づいて運動状態を分析し、分析結果を出力する運動状態分析手段とを備え、
前記運動状態抽出手段は、前記被測定者の体動に基づいて前記運動状態の抽出部分を補正することを特徴とする運動状態管理システム。
【請求項５】
前記脈拍測定手段及び前記体動測定手段は携帯可能であり、
前記脈拍測定手段及び前記体動測定手段の測定データを無線により転送する携帯可能な無線送信手段と、
前記無線送信手段からの受信データを前記データ蓄積手段へ出力する無線受信手段と、
を備えたことを特徴とする請求項４に記載の運動状態管理システム。
【請求項６】
前記脈拍測定手段、前記体動測定手段及び前記データ蓄積手段は携帯可能であり、
前記データ蓄積手段の蓄積データを無線により転送する携帯可能な無線送信手段と、
前記無線送信手段からの受信データを前記運動状態抽出手段へ出力する無線受信手段と、
を備えたことを特徴とする請求項４に記載の運動状態管理システム。
【請求項７】
前記運動状態抽出手段は、前記脈拍数の被測定者に固有の所定の運動強度を用いてカルボーネンの式から得られた単位時間当たりの脈拍数を、有効な運動状態であるか否かの判定用閾値として使用することを特徴とする請求項１乃至請求項６のいずれかの項に記載の運動状態管理システム。
【請求項８】
前記運動状態抽出手段は、前記判定用閾値を使用して有効であると判定した脈拍数データが一定期間以上連続している部分のみを抽出することを特徴とする請求項７に記載の運動状態管理システム。
【請求項９】
前記運動状態分析手段による分析結果に応じて、運動の診断を行い、運動指針データを出力する運動診断手段を備えたことを特徴とする請求項１乃至請求項８のいずれかの項に記載の運動状態管理システム。
【請求項１０】
単位時間当たりの脈拍数を測定する過程と、
前記測定された脈拍数データを蓄積する過程と、
前記蓄積された脈拍数の時系列データの中から有効な運動状態の部分を抽出する過程と、
前記抽出データに基づいて運動状態を分析し、分析結果を出力する過程と、
を含むことを特徴とする運動状態管理方法。
【請求項１１】
単位時間当たりの脈拍数を測定するとともに、前記脈拍数の被測定者の体動を測定する過程と、
同時に前記測定された脈拍数データと体動データとを対応付けて蓄積する過程と、
前記蓄積された脈拍数の時系列データの中から有効な運動状態の部分を抽出する過程と、
前記被測定者の体動に基づいて前記運動状態の抽出部分を補正する過程と、
前記補正後の抽出データに基づいて運動状態を分析し、分析結果を出力する過程と、
を含むことを特徴とする運動状態管理方法。
【請求項１２】
前記運動状態の分析結果に応じて、運動の診断を行い、運動指針データを出力する過程を含むことを特徴とする請求項１０または請求項１１に記載の運動状態管理方法。
【請求項１３】
単位時間当たりの脈拍数の時系列データの中から有効な運動状態の部分を抽出する運動状態抽出手段と、
前記運動状態抽出手段による抽出データに基づいて運動状態を分析し、分析結果を出力する運動状態分析手段と、
を備えたことを特徴とする脈拍データ処理装置。
【請求項１４】
単位時間当たりの脈拍数の時系列データの中から有効な運動状態の部分を抽出する運動状態抽出手段と、
前記運動状態抽出手段による抽出データに基づいて運動状態を分析し、分析結果を出力する運動状態分析手段とを備え、
前記運動状態抽出手段は、前記脈拍数の被測定者から前記脈拍数とともに測定された体動データに基づいて前記運動状態の抽出部分を補正することを特徴とすることを特徴とする脈拍データ処理装置。
【請求項１５】
前記運動状態抽出手段は、前記脈拍数の被測定者に固有の所定の運動強度を用いてカルボーネンの式から得られた単位時間当たりの脈拍数を、有効な運動状態であるか否かの判定用閾値として使用することを特徴とする請求項１３または請求項１４に記載の脈拍データ処理装置。
【請求項１６】
前記運動状態抽出手段は、前記判定用閾値を使用して有効であると判定した脈拍数データが一定期間以上連続している部分のみを抽出することを特徴とする請求項１５に記載の脈拍データ処理装置。
【請求項１７】
前記運動状態分析手段による分析結果に応じて、運動の診断を行い、運動指針データを出力する運動診断手段を備えたことを特徴とする請求項１４乃至請求項１６のいずれかの項に記載の脈拍データ処理装置。
【請求項１８】
単位時間当たりの脈拍数の時系列データの中から有効な運動状態の部分を抽出する過程と、
前記抽出データに基づいて運動状態を分析し、分析結果を出力する過程と、
を含むことを特徴とする脈拍データ処理方法。
【請求項１９】
単位時間当たりの脈拍数の時系列データの中から有効な運動状態の部分を抽出する過程と、
前記脈拍数の被測定者から前記脈拍数とともに測定された体動データに基づいて前記運動状態の抽出部分を補正する過程と、
前記補正後の抽出データに基づいて運動状態を分析し、分析結果を出力する過程と、
を含むことを特徴とする脈拍データ処理方法。
【請求項２０】
前記運動状態の分析結果に応じて、運動の診断を行い、運動指針データを出力する過程を含むことを特徴とする請求項１８または請求項１９に記載の脈拍データ処理方法。
【請求項２１】
単位時間当たりの脈拍数の時系列データの中から有効な運動状態の部分を抽出する機能と、
前記抽出データに基づいて運動状態を分析し、分析結果を出力する機能と、
をコンピュータに実現させることを特徴とするコンピュータプログラム。
【請求項２２】
単位時間当たりの脈拍数の時系列データの中から有効な運動状態の部分を抽出する機能と、
前記脈拍数の被測定者から前記脈拍数とともに測定された体動データに基づいて前記運動状態の抽出部分を補正する機能と、
前記補正後の抽出データに基づいて運動状態を分析し、分析結果を出力する機能と、
をコンピュータに実現させることを特徴とするコンピュータプログラム。
【請求項２３】
前記運動状態の分析結果に応じて、運動の診断を行い、運動指針データを出力する機能をコンピュータに実現させることを特徴とする請求項２１または請求項２２に記載のコンピュータプログラム。
【発明の詳細な説明】
【０００１】
【発明の属する技術分野】
本発明は、脈拍を測定して運動状態の管理を行う運動状態管理システム及び方法、並びにその運動状態管理システムで使用される脈拍データ処理装置及び方法、並びにその脈拍データ処理装置をコンピュータを利用して実現するためのコンピュータプログラムに関する。
【０００２】
【従来の技術】
近年、ランニングやジョギング等の手軽にできるスポーツにより自己の健康管理を行おうとする人々が増加している。また、スポーツの場面以外でも日常の脈拍を測定することで健康管理の指標にする人々が増加して来ている中で、脈拍計は、それらの人々に広く利用されている。従来の脈拍計として、ランニングやジョギング中に携帯して意識せずに連続的に脈拍数の測定が可能な携帯型脈拍計が知られている（例えば、特許文献１参照）。
【０００３】
また、使用者の脈波を測定し、この測定した脈波から得られる血液循環状態を該使用者に通知することによって、該使用者が自分の血液循環の状態を把握でき、成人病等の疾病の予知に役立てることが可能な健康状態管理装置が知られている（例えば、特許文献２参照）。この健康状態管理装置は、上記した携帯型脈拍計と同様に携帯することが可能な構造となっている。
【０００４】
【特許文献１】
特開平８−３１７９１２号公報（第３−４頁、第１，１５図）
【特許文献２】
特開平９−１３５８１９号公報（第６−７頁、第１，３，５図）
【０００５】
【発明が解決しようとする課題】
しかし、上述した従来の技術では、脈拍数又は血液循環状態が被験者に通知されるが、被験者が日常生活において有効な運動をどの程度行っているのかが分かりづらいという問題がある。このため、健康維持のための効果的な運動指針が得られず、運動していても十分な効果を上げることができない虞がある。
【０００６】
本発明は、このような事情を考慮してなされたもので、その目的は、被験者が有効な運動をどの程度行っているのかが分かり、効果的な運動指針を得ることができる運動状態管理システム、運動状態管理方法を提供することにある。
【０００７】
また、本発明の他の目的は、本発明の運動状態管理システムで使用される脈拍データ処理装置、脈拍データ処理方法を提供することにある。
【０００８】
また、本発明の他の目的は、本発明の脈拍データ処理装置をコンピュータを利用して実現するためのコンピュータプログラムを提供することにある。
【０００９】
【課題を解決するための手段】
上記の課題を解決するために、本発明の運動状態管理システムは、単位時間当たりの脈拍数を測定する脈拍測定手段と、前記脈拍測定手段によって測定された脈拍数データを蓄積するデータ蓄積手段と、前記データ蓄積手段による脈拍数の時系列データの中から有効な運動状態の部分を抽出する運動状態抽出手段と、前記運動状態抽出手段による抽出データに基づいて運動状態を分析し、分析結果を出力する運動状態分析手段とを備えたことを特徴としている。
【００１０】
また、本発明の運動状態管理システムにおいては、前記脈拍測定手段は携帯可能であり、前記脈拍測定手段の測定データを無線により転送する携帯可能な無線送信手段と、前記無線送信手段からの受信データを前記データ蓄積手段へ出力する無線受信手段とを備えたことを特徴とする。
【００１１】
また、本発明の運動状態管理システムにおいては、前記脈拍測定手段及び前記データ蓄積手段は携帯可能であり、前記データ蓄積手段の蓄積データを無線により転送する携帯可能な無線送信手段と、前記無線送信手段からの受信データを前記運動状態抽出手段へ出力する無線受信手段とを備えたことを特徴とする。
【００１２】
本発明の運動状態管理システムは、単位時間当たりの脈拍数を測定する脈拍測定手段と、前記脈拍数の被測定者の体動を測定する体動測定手段と、前記脈拍測定手段によって測定された脈拍数データと、前記脈拍数データと同時に前記体動測定手段によって測定された体動データとを対応付けて蓄積するデータ蓄積手段と、前記データ蓄積手段による脈拍数の時系列データの中から有効な運動状態の部分を抽出する運動状態抽出手段と、前記運動状態抽出手段による抽出データに基づいて運動状態を分析し、分析結果を出力する運動状態分析手段とを備え、前記運動状態抽出手段は、前記被測定者の体動に基づいて前記運動状態の抽出部分を補正することを特徴としている。
【００１３】
また、本発明の運動状態管理システムにおいては、前記脈拍測定手段及び前記体動測定手段は携帯可能であり、前記脈拍測定手段及び前記体動測定手段の測定データを無線により転送する携帯可能な無線送信手段と、前記無線送信手段からの受信データを前記データ蓄積手段へ出力する無線受信手段とを備えたことを特徴とする。
【００１４】
また、本発明の運動状態管理システムにおいては、前記脈拍測定手段、前記体動測定手段及び前記データ蓄積手段は携帯可能であり、前記データ蓄積手段の蓄積データを無線により転送する携帯可能な無線送信手段と、前記無線送信手段からの受信データを前記運動状態抽出手段へ出力する無線受信手段とを備えたことを特徴とする。
【００１５】
また、本発明の運動状態管理システムにおいては、前記運動状態抽出手段は、前記脈拍数の被測定者に固有の所定の運動強度を用いてカルボーネンの式から得られた単位時間当たりの脈拍数を、有効な運動状態であるか否かの判定用閾値として使用することを特徴とする。
【００１６】
また、本発明の運動状態管理システムにおいては、前記運動状態抽出手段は、前記判定用閾値を使用して有効であると判定した脈拍数データが一定期間以上連続している部分のみを抽出することを特徴とする。
【００１７】
また、本発明の運動状態管理システムにおいては、前記運動状態分析手段による分析結果に応じて、運動の診断を行い、運動指針データを出力する運動診断手段を備えたことを特徴とする。
【００１８】
本発明の運動状態管理方法は、単位時間当たりの脈拍数を測定する過程と、前記測定された脈拍数データを蓄積する過程と、前記蓄積された脈拍数の時系列データの中から有効な運動状態の部分を抽出する過程と、前記抽出データに基づいて運動状態を分析し、分析結果を出力する過程とを含むことを特徴としている。
【００１９】
本発明の運動状態管理方法は、単位時間当たりの脈拍数を測定するとともに、前記脈拍数の被測定者の体動を測定する過程と、同時に前記測定された脈拍数データと体動データとを対応付けて蓄積する過程と、前記蓄積された脈拍数の時系列データの中から有効な運動状態の部分を抽出する過程と、前記被測定者の体動に基づいて前記運動状態の抽出部分を補正する過程と、前記補正後の抽出データに基づいて運動状態を分析し、分析結果を出力する過程とを含むことを特徴としている。
【００２０】
また、本発明の運動状態管理方法においては、前記運動状態の分析結果に応じて、運動の診断を行い、運動指針データを出力する過程を含むことを特徴とする。
【００２１】
本発明の脈拍データ処理装置は、単位時間当たりの脈拍数の時系列データの中から有効な運動状態の部分を抽出する運動状態抽出手段と、前記運動状態抽出手段による抽出データに基づいて運動状態を分析し、分析結果を出力する運動状態分析手段とを備えたことを特徴としている。
【００２２】
本発明の脈拍データ処理装置は、単位時間当たりの脈拍数の時系列データの中から有効な運動状態の部分を抽出する運動状態抽出手段と、前記運動状態抽出手段による抽出データに基づいて運動状態を分析し、分析結果を出力する運動状態分析手段とを備え、前記運動状態抽出手段は、前記脈拍数の被測定者から前記脈拍数とともに測定された体動データに基づいて前記運動状態の抽出部分を補正することを特徴としている。
【００２３】
また、本発明の脈拍データ処理装置においては、前記運動状態抽出手段は、前記脈拍数の被測定者に固有の所定の運動強度を用いてカルボーネンの式から得られた単位時間当たりの脈拍数を、有効な運動状態であるか否かの判定用閾値として使用することを特徴とする。
【００２４】
また、本発明の脈拍データ処理装置においては、前記運動状態抽出手段は、前記判定用閾値を使用して有効であると判定した脈拍数データが一定期間以上連続している部分のみを抽出することを特徴とする。
【００２５】
また、本発明の脈拍データ処理装置においては、前記運動状態分析手段による分析結果に応じて、運動の診断を行い、運動指針データを出力する運動診断手段を備えたことを特徴とする。
【００２６】
本発明の脈拍データ処理方法は、単位時間当たりの脈拍数の時系列データの中から有効な運動状態の部分を抽出する過程と、前記抽出データに基づいて運動状態を分析し、分析結果を出力する過程とを含むことを特徴としている。
【００２７】
本発明の脈拍データ処理方法は、単位時間当たりの脈拍数の時系列データの中から有効な運動状態の部分を抽出する過程と、前記脈拍数の被測定者から前記脈拍数とともに測定された体動データに基づいて前記運動状態の抽出部分を補正する過程と、前記補正後の抽出データに基づいて運動状態を分析し、分析結果を出力する過程とを含むことを特徴としている。
【００２８】
また、本発明の脈拍データ処理方法においては、前記運動状態の分析結果に応じて、運動の診断を行い、運動指針データを出力する過程を含むことを特徴とする。
【００２９】
本発明のコンピュータプログラムは、単位時間当たりの脈拍数の時系列データの中から有効な運動状態の部分を抽出する機能と、前記抽出データに基づいて運動状態を分析し、分析結果を出力する機能とをコンピュータに実現させることを特徴としている。
【００３０】
本発明のコンピュータプログラムは、単位時間当たりの脈拍数の時系列データの中から有効な運動状態の部分を抽出する機能と、前記脈拍数の被測定者から前記脈拍数とともに測定された体動データに基づいて前記運動状態の抽出部分を補正する機能と、前記補正後の抽出データに基づいて運動状態を分析し、分析結果を出力する機能とをコンピュータに実現させることを特徴としている。
【００３１】
また、本発明のコンピュータプログラムにおいては、前記運動状態の分析結果に応じて、運動の診断を行い、運動指針データを出力する機能をコンピュータに実現させることを特徴とする。
これにより、前述の脈拍データ処理装置がコンピュータを利用して実現できるようになる。
【００３２】
【発明の実施の形態】
以下、図面を参照し、本発明の実施形態について説明する。
図１は、本発明の実施形態による運動状態管理システムの全体構成を示すブロック図である。図１において、運動状態管理システムは、携帯型脈拍計１と、この携帯型脈拍計１と近距離無線通信により接続される携帯型データ転送装置２と、この携帯型データ転送装置２と通信ネットワーク３を介して通信接続される脈拍データ処理装置４と、この脈拍データ処理装置４と通信ネットワーク３を介して通信接続される表示端末５とを備える。携帯型脈拍計１及び携帯型データ転送装置２は、被験者に着用されている。
【００３３】
通信ネットワーク３は、無線通信網及び有線通信網から構成される。例えば、携帯電話網、固定電話網、専用回線網、及びインターネットなどから構成される。
以下、上記図１の運動状態管理システムの各実施形態を順次説明する。
【００３４】
［第１の実施形態］
初めに、本発明の第１の実施形態による上記図１の運動状態管理システムについて詳細に説明する。
図２は、本発明の第１の実施形態による携帯型脈拍計１の構成を示すブロック図である。図３は、図２に示す携帯型脈拍計１の外観図である。
図２において、携帯型脈拍計１は、脈拍センサ１０１と脈拍数演算回路１０２と脈拍数記憶メモリ１０３と表示回路１０４とタイミング信号発生回路１０５とインタフェース回路１０６と無線モジュール１０７とを備える。また、各部へ電力を供給する電源（図示せず）を備える。
【００３５】
脈拍センサ１０１は、被験者の手の指、例えば第２指、に装着される。そして、脈拍センサ１０１は、被験者の脈拍を検出してその脈波信号を脈拍数演算回路１０２へ出力する。
脈拍数演算回路１０２は、タイミング信号発生回路１０５からのタイミング信号（測定周期信号）を基準として、脈拍センサ１０１から入力される脈波信号を１分当たりの脈拍数に換算して脈拍数記憶メモリ１０３へ出力する。なお、この例では脈拍数測定の単位時間を１分としたが、適宜変更可能である。
【００３６】
脈拍数記憶メモリ１０３は、脈拍数演算回路１０２の出力を保持し、保持した脈拍数データを表示回路１０４へ出力する。この脈拍数記憶メモリ１０３は、表示用に脈拍数を一時的に保持するためのものである。
表示回路１０４は、脈拍数記憶メモリ１０３で保持した脈拍数データを、タイミング発生回路１０５から入力されるタイミング信号にしたがって表示する。
タイミング信号発生回路１０５は、所定のタイミング信号を脈拍数演算回路１０２と表示回路１０４に出力する。
【００３７】
インタフェース回路１０６は、無線モジュール１０７へデータを受け渡すためのインタフェース機能を有する。インタフェース回路１０６は、脈拍数記憶メモリ１０３で保持した脈拍数データを、無線モジュール１０７へ出力する。
無線モジュール１０７は近距離無線通信機能を有する。例えば、「ブルートゥース」と呼ばれる無線通信規格に準拠したものが利用できる。無線モジュール１０７は、インタフェース回路１０６からの入力データ（脈拍数データ）を無線送信する。なお、無線モジュール１０７には、少なくとも無線送信機能を備えればよい。
【００３８】
図３には、上記図２の携帯型脈拍計１として、腕時計と組み合わせた形態が示されている。図３の例では、指サック型のセンサ部１００１を使用している。センサ部１００１には、上記図２の脈拍センサ１０１が具備されている。脈拍センサ１０１の出力信号はケーブルで時計ヘッド１００２に接続される。また、時計ヘッド１００２には、上記図２の脈拍センサ１０１以外の各部が具備されている。
【００３９】
図４は、本発明の第１の実施形態による携帯型データ転送装置２の構成を示すブロック図である。
図４において、携帯型データ転送装置２は、無線モジュール２０１とデータファイル化部２０２とファイル記憶部２０３とファイル転送部２０４と無線通信部２０５とを備える。また、各部へ電力を供給する電源（図示せず）を備える。
【００４０】
無線モジュール２０１は、上記した携帯型脈拍計１の無線モジュール１０７と無線通信するための近距離無線通信機能を有する。無線モジュール２０１は、携帯型脈拍計１から送信された脈拍数データを受信してデータファイル化部２０２へ出力する。なお、無線モジュール２０１には、少なくとも無線受信機能を備えればよい。
【００４１】
データファイル化部２０２は、入力データをファイル化する機能を有する。このファイル化は、ファイル記憶部２０３上で行われる。ファイル記憶部２０３は、所定形式のデータファイル３０１を保持している。データファイル化部２０２は、無線モジュール２０１から入力される脈拍数データを、測定された順番で、ファイル記憶部２０３のデータファイル３０１内に蓄積する。これにより、データファイル３０１には、所定の測定周期で測定された脈拍数データが、時系列に沿って格納される。又は、データファイル化部２０２は、測定時刻とともに脈拍数データをデータファイル３０１に蓄積してもよい。
【００４２】
ファイル転送部２０４は、データ通信によるファイル転送機能を有する。このファイル転送は、無線通信部２０５により確立された通信回線を介して行われる。ファイル転送部２０４は、ファイル転送時に、無線通信部２０５により脈拍データ処理装置４との間の通信回線を確立する。そして、ファイル転送部２０４は、無線通信部２０５により確立された通信回線を介して、ファイル記憶部２０３で保持されているデータファイル３０１を脈拍データ処理装置４へ転送する。
【００４３】
なお、無線通信部２０５は、特定の無線通信網に接続するものであり、該無線通信網を介して脈拍データ処理装置４との間の通信回線を確立する。例えば、無線通信部２０５は、特定の携帯電話網と接続する端末として機能する。
【００４４】
図５は、本発明の第１の実施形態による脈拍データ処理装置４の構成を示すブロック図である。
図５において、脈拍データ処理装置４は、ファイル受信部４０１と運動状態抽出部４０２と運動状態分析部４０３と運動診断部４０４と表示データ生成部４０５とデータ送信部４０６と記憶部４１０とを備える。
【００４５】
ファイル受信部４０１は、通信ネットワーク３に接続し、上記した携帯型データ転送装置２から転送されるデータファイル３０１を受信する機能を有する。ファイル受信部４０１は、受信したデータファイル３０１を運動状態抽出部４０２へ出力する。
【００４６】
運動状態抽出部４０２は、ファイル受信部４０１から入力されるデータファイル３０１内の脈拍数の時系列データの中から有効な運動状態の部分を抽出する機能を有する。運動状態抽出部４０２は、抽出した脈拍数データ（抽出データ）を運動状態分析部４０３へ出力する。
【００４７】
運動状態分析部４０３は、運動状態抽出部４０２から入力される抽出データに基づいて運動状態を分析する機能を有する。運動状態分析部４０３は、分析した結果のデータを運動診断部４０４へ出力する。また、運動状態分析部４０３は、表示端末５に表示させる分析結果データを表示データ生成部４０５へ出力する。
【００４８】
運動診断部４０４は、運動状態分析部４０３から入力される分析結果データの分析結果に応じて、運動の診断を行い、運動指針データを生成する機能を有する。運動診断部４０４は、生成した運動指針データを表示データ生成部４０５へ出力する。
【００４９】
表示データ生成部４０５は、表示端末５に表示させるための表示データを生成する機能を有する。表示データ生成部４０５は、運動状態分析部４０３から入力される分析結果データ及び運動診断部４０４から入力される運動指針データを、表示端末５の画面仕様（画面の大きさ、解像度等）に合わせて加工し、表示データを生成する。そして、表示データ生成部４０５は、生成した表示データをデータ送信部４０６へ出力する。
【００５０】
データ送信部４０６は、通信ネットワーク３に接続し、表示端末５へデータを送信する機能を有する。データ送信部４０６は、データ送信部４０６から入力される表示データを表示端末５へ送信する。送信された表示データが表示端末５で受信されると、表示端末５は、受信した表示データを画面表示する。
【００５１】
なお、表示端末５は、有線により通信ネットワーク５と接続するものであってもよく、あるいは無線により接続するものであってもよい。表示端末５としては、例えば、パーソナルコンピュータ、携帯電話機やＰＤＡ（Ｐｅｒｓｏｎａｌ  Ｄｉｇｉｔａｌ  Ａｓｓｉｓｔａｎｔｓ：個人用情報機器）等の携帯端末などが利用可能である。
【００５２】
記憶部４１０は各種データを記憶する。記憶部４１０は各部４０１〜４０６からアクセス可能である。記憶部４１０上には、個人別管理データベース４１１が構築される。また、記憶部４１０は、運動ランクテーブル４１２と運動診断テーブル４１３を保持する。
【００５３】
個人別管理データベース４１１には、被験者別に、個人情報（氏名、居住地域、性別、年齢、体重、安静時の心拍数、抽出用運動強度等）、運動状態の分析結果の履歴、運動診断結果の履歴などが記録される。上記個人情報中の抽出用運動強度は、各個人の運動能力に応じて、有効な運動となる心拍数に基づき設定される。なお、運動強度とは、当該者の最大心拍数に対する運動中の心拍数の比率（百分率）で表されるものである。
【００５４】
運動ランクテーブル４１２には、被験者が行った運動がどの程度有効なものであるかをランク付けするための情報が記録されている。図６は、運動ランクテーブル４１２の構成例を示す図である。図６の例では、運動強度と運動継続時間に対応付けて当該運動の有効度が示されている。運動の有効度は、Ａ〜Ｅの５段階をベースにランク付けされ、さらに優れているものとして「Ａ＋」のランクが付与されている。したがって、被験者がどの程度の運動強度の運動をどの位継続して行ったかが分かれば、運動ランクテーブル４１２に基づいて当該運動の有効度をランク付けできる。
【００５５】
各ランクの有効度の具体的な評価内容を以下に示す。
Ａランクは大変効果がある運動、
Ｂランクは効果がある運動、
Ｃランクは多少効果がある運動、
Ｄランクは体調維持には有効、
Ｅランクはあと一歩で有効な運動、
である。
【００５６】
なお、上記図６の例は、日常（普段）の行動に適用する運動ランクテーブルである。このため、日常生活では通常考えられない運動に対応するランクについては、省略されている。一般的に、有酸素運動とは運動強度が６０％程度までのものを指し、意識して運動をしなければ、運動強度が６０％以上になることは考えにくい。例えば、運動強度が６０％から７０％の範囲になると、エアロビクスレベルの運動となり、このような運動が日常生活においてなされることはあまり考えられない。このような知見に基づき、運動強度が６０％以上の範囲に対応するランクが省略されている。同様に、日常生活において６０分以上継続して運動することは一般的でないので、運動継続時間が６０分以上の範囲に対応するランクについても省略されている。
但し、万一、普段の行動で、運動強度が６０％以上になった場合には、「Ａ＋」のランクとすればよい。また、運動継続時間が６０分以上の場合も、「Ａ＋」のランクとすればよい。
【００５７】
運動診断テーブル４１３には、被験者が行った運動内容に応じて被験者に運動指針を提示するための情報が記録されている。図７は、運動診断テーブル４１３の構成例を示す図である。図７の例では、運動の有効度「ランクＡ＋、Ａ〜Ｅ」と運動継続時間に対応付けて当該運動に応じた運動指針が示されている。したがって、被験者が行った運動の有効度のランクと当該運動の継続時間が分かれば、運動診断テーブル４１３に基づいて当該被験者に提示する運動指針を得ることができる。なお、図７の例では、説明の便宜上、運動強度にも対応付けを行っている。
【００５８】
なお、上記図７の例は、上記図６の例に対応したものである。但し、万一、運動強度が６０％以上になり、「Ａ＋」のランクとなった場合には、以下に示す運動指針とする。
５分〜２０分未満の「Ａ＋」のランクの場合は、「少しペースを落としましょう」とする。
２０分〜４０分未満の「Ａ＋」のランクの場合、「そろそろ休憩しましょう」とする。
【００５９】
また、運動継続時間が６０分以上になり、「Ａ＋」のランクとなった場合には、以下に示す運動指針とする。
運動強度が２０％〜３０％未満の「Ａ＋」のランクの場合は、「少し休憩しましょう」とする。
運動強度が３０％〜４０％未満の「Ａ＋」のランクの場合は、「そろそろ休みましょう」とする。
運動強度が４０％〜５０％未満の「Ａ＋」のランクの場合は、「今後もこのペースを維持しましょう」とする。
運動強度が５０％〜６０％未満の「Ａ＋」のランクの場合は、「お疲れ様です、休憩しましょう」とする。
運動強度が６０％以上の「Ａ＋」のランクの場合は、「すぐに休みましょう」とする。
【００６０】
なお、上記した運動ランクテーブル４１２及び運動診断テーブル４１３は、被験者別に設けてもよい。また、各テーブル４１２、４１３の設定内容は、被験者の運動能力に応じて変更可能である。
【００６１】
また、記憶部４１０には、図８に示す性別年齢別補正係数テーブル４２１（図５には図示せず）と、図９に示すエネルギー代謝率テーブル４２２（図５には図示せず）とが保持される。
図８に示されるように、性別年齢別補正係数テーブル４２１には、性別及び年齢別の補正係数が記録されている。この補正係数は、運動によって消費されるカロリーを後述の計算式で算出するときに使用されるものである。なお、図８に示される補正係数には、「池上春夫著，“新版運動処方  理論と実際”，第２版，朝倉書店，１９９１年６月３０日，ｐ．１８１」に記載されているものを使用している。
【００６２】
図９に示されるように、エネルギー代謝率テーブル４２２には、運動強度に対応するエネルギー代謝率（ＲＭＲ；Ｒｅｌａｔｉｖｅ  Ｍｅｔａｂｏｌｉｃ  Ｒａｔｅ）とその運動の具体例が示されている。なお、図９に示されるエネルギー代謝率には、「池上春夫著，“新版運動処方  理論と実際”，第２版，朝倉書店，１９９１年６月３０日，ｐ．１７９」に記載されているものを使用している。また、上記図９の例は、上記図６の例に対応したものである。
【００６３】
なお、上記した脈拍データ処理装置４は専用のハードウェアにより実現されるものであってもよく、また、脈拍データ処理装置４はメモリおよびＣＰＵ（中央処理装置）により構成され、脈拍データ処理装置４の機能を実現するためのプログラムを実行することによりその機能を実現させるものであってもよい。
【００６４】
また、個人別管理データベース４１１は、脈拍データ処理装置４内に具備されるものであっても、図示しない他の装置（データベースサーバ）内にあり、脈拍データ処理装置４は、通信により個人別管理データベース４１１にアクセスするものであってもよい。
【００６５】
また、脈拍データ処理装置４には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
また、上記周辺機器については、脈拍データ処理装置４に直接接続するものであってもよく、あるいは通信回線を介して接続するようにしてもよい。
【００６６】
次に、上述した第１の実施形態による運動状態管理システムの動作を説明する。
図１０は、図１に示す運動状態管理システムが行う運動状態管理処理の全体の流れを示すフローチャートである。図１１は、図５に示す脈拍データ処理装置４の運動状態抽出部４０２が行う運動状態抽出処理の流れを示すフローチャートである。図１２は、図５に示す脈拍データ処理装置４の運動状態分析部４０３が行う運動状態分析処理の流れを示すフローチャートである。
【００６７】
図１０において、先ず、被験者に着用されている携帯型脈拍計１が、所定の測定周期で単位時間当たり（この例では１分当たり）の脈拍数を測定し、脈拍数データを携帯型データ転送装置２へ無線送信する（ステップＳ１）。次いで、携帯型データ転送装置２は、受信した脈拍数データを測定の時系列が分かるようにファイル化し、データファイル３０１を脈拍データ処理装置４へ転送する（ステップＳ２）。
【００６８】
図１３に、データファイル３０１の構成例が示されている。この図１３の脈拍数は便宜上の値である。図１３の例では、脈拍数の測定周期は１６秒である。そして、脈拍数データが測定された順番で格納されている。また、測定時刻が脈拍数データに対応付けられて格納されている。なお、測定時刻は、実際の時刻であってもよく、あるいは相対的な時刻、例えば測定開始時刻を基準時刻「００時００分００秒」としたものであってもよい。
また、携帯型データ転送装置２がデータファイル３０１を脈拍データ処理装置４へ転送する時期は、適宜設定可能である。例えば、１日に一回、所定時刻にファイル転送する。例えば、被験者が通常睡眠中の時刻にファイル転送するようにする。
【００６９】
次いで、脈拍データ処理装置４において、データファイル３０１が受信されると、運動状態抽出部４０２が運動状態抽出処理を実行する（ステップＳ３）。ここで、図１１を参照して、ステップＳ３の運動状態抽出処理を説明する。先ず、運動状態抽出部４０２は、（１）式により、有効な運動状態の抽出基準の脈拍数Ｔを計算する（ステップＳ３０１）。ここで、運動状態抽出部４０２は、個人別管理データベース４１１から、被験者の個人情報に含まれる年齢及び安静時心拍数及び抽出用運動強度を取得する。
抽出基準の脈拍数Ｔ＝［（２２０−年齢）−安静時心拍数］×抽出用運動強度＋安静時心拍数    ・・・（１）
なお、（１）式は、周知のカルボーネンの式を応用している。また、「２２０−年齢」は最大心拍数の推定値として周知のものである。
【００７０】
次いで、運動状態抽出部４０２は、受信したデータファイル３０１内の脈拍数の時系列データの中から、測定された順番で脈拍数データを読み出す（ステップＳ３０２）。そして、読み出した脈拍数データの脈拍数が抽出基準の脈拍数Ｔ以上であるか否かを判断する（ステップＳ３０３）。この判断の結果、脈拍数Ｔ以上である場合は該読み出した脈拍数データを記憶部４１０の所定の記憶領域に保持する（ステップＳ３０４）。
【００７１】
一方、ステップＳ３０３の判断の結果、脈拍数Ｔ以上でない場合には、運動状態抽出部４０２は、既に保持している脈拍数データがあるか否かを判断する（ステップＳ３０５）。この判断の結果、保持している脈拍数データがある場合はステップＳ３０６へ進み、一方、保持している脈拍数データがある場合にはステップＳ３１０へ進む。
【００７２】
次いで、ステップＳ３０６では、運動状態抽出部４０２は、記憶部４１０に保持されている脈拍数データから、運動の継続時間を計算する（ステップＳ３０５）。例えば、図１３に示される例においては、測定周期が１６秒であるので、保持されている脈拍数データの個数から１減算した値に１６秒を乗じて運動継続時間を求める。又は、データファイル３０１に記録されている測定時間から運動継続時間を算出してもよい。
【００７３】
次いで、運動状態抽出部４０２は、運動継続時間が一定時間以上であるか否かを判断する（ステップＳ３０７）。この例では、運動継続時間が５分以上である運動状態を有効なものとしている。ステップＳ３０７の判断の結果、５分以上である場合には、運動状態抽出部４０２は、有効な運動状態であるとして記憶部４１０に保持されている脈拍数データを読み出し、抽出データとして当該運動継続時間とともに運動状態分析部４０３へ出力する（ステップＳ３０８）。一方、５分以上ではない場合には、運動状態抽出部４０２は、記憶部４１０に保持されている脈拍数データをクリアする（ステップＳ３０９）。
【００７４】
次いで、ステップ３１０では、運動状態抽出部４０２は、データファイル３０１から全ての脈拍数データを読み出したか否かを判断し、全データ読み出し完了の場合はその処理を終了する。一方、未読み出しのデータがある場合にはステップＳ３０２へ戻り、次のデータを読み出す。
【００７５】
次に、図１０において、運動状態分析部４０３は、運動状態抽出部４０２から抽出データ及び運動継続時間を受け取ると、運動状態分析処理を実行する（ステップＳ４）。ここで、図１２を参照して、ステップＳ４の運動状態分析処理を説明する。先ず、運動状態分析部４０３は、（２）式により抽出データの個々の脈拍数データについて運動強度を計算し、それら運動強度を平均化して抽出データの運動強度とする（ステップＳ４０１）。
運動強度＝［（運動時脈拍数−安静時心拍数）×１００］÷（推定最大心拍数−安静時心拍数）    ・・・（２）
但し、運動時脈拍数は抽出データの脈拍数、推定最大心拍数は上記した「２２０−年齢」である。
この（２）式も、上記（１）式と同様にカルボーネンの式を応用している。
【００７６】
次いで、運動状態分析部４０３は、運動状態抽出部４０２から受け取った運動継続時間と算出した運動強度とに基づいて、図６の運動ランクテーブル４１２から該当するランクを取得する（ステップＳ４０２）。このランクは、抽出データの運動状態がどの程度有効なものであるかを示す有効度のランクである。
【００７７】
次いで、運動状態分析部４０３は、（３）式により抽出データの運動によって消費されるカロリー（運動量）を計算する（ステップＳ４０３）。ここで、運動状態分析部４０３は、個人別管理データベース４１１から、被験者の個人情報に含まれる年齢及び性別及び体重を取得する。そして、図８の性別年齢別補正係数テーブル４２１から、被験者に該当する補正係数を取得する。また、図９のエネルギー代謝率テーブル４２２から、抽出データの運動強度に対応するエネルギー代謝率（ＲＭＲ）を取得する。
カロリー消費量（Ｋｃａｌ）＝ＲＭＲ×補正係数×体重（Ｋｇ）×運動継続時間（分）    ・・・（３）
【００７８】
運動状態分析部４０３は、抽出データの運動状態の有効度のランクと該抽出データの運動継続時間とを運動診断部４０４へ出力する。また、分析結果の表示用に、抽出データの運動強度、運動状態の有効度のランク、運動継続時間、及びカロリー消費量を表示データ生成部４０５へ出力する。
【００７９】
次に、図１０において、運動状態診断部４０４は、運動状態分析部４０３から運動状態の有効度のランク及び運動継続時間を受け取ると、図７の運動診断テーブル４１３から運動状態の有効度のランク及び運動継続時間に対応する運動指針データを取得する。そして、この取得した運動指針データを表示データ生成部４０５へ出力する（ステップＳ５）。
【００８０】
次いで、表示データ生成部４０５は、運動状態分析部４０３から受け取った抽出データの運動強度、運動状態の有効度のランク、運動継続時間、及びカロリー消費量、並びに運動状態診断部４０４から受け取った運動指針データを、表示端末５の画面仕様に合わせて表示させるための表示データを生成する。そして、この生成した表示データを表示端末５へ出力する（ステップＳ６）。
【００８１】
また、運動状態分析部４０３の分析結果のデータ及び運動状態診断部４０４の運動指針データは、当該被験者の履歴データとして個人別管理データベース４１１に記録される。
【００８２】
上述したように本実施形態によれば、被験者の脈拍数データから有効な運動状態の部分を抽出して分析するので、被験者が有効な運動をどの程度行っているのかが分かり、効果的な運動指針を得ることができる。さらに、具体的な運動指針を提示するので、専門家に頼ることなく運動指針が得られる。
【００８３】
［第２の実施形態］
次に、第２の実施形態を説明する。図１４は、本発明の第２の実施形態による携帯型脈拍計１の構成を示すブロック図である。なお、携帯型データ転送装置２は上記図４の構成と同様である。また、脈拍データ処理装置４は上記図５の構成と同様である。
図１４において、携帯型脈拍計１は、上記図２の構成に更に、加速度センサ１１１とアナログ／デジタル（Ａ／Ｄ）変換回路１１２と体動レベル判定回路１１３とを備える。これら各部１１１〜１１３は、図３の腕時計型の例では時計ヘッド１００２に具備される。
【００８４】
加速度センサ１１１は、腕の動きや体の上下動などの体動に比例したアナログ電圧を発生してＡ／Ｄ変換回路１１２へ出力する。Ａ／Ｄ変換回路１１２は、加速度センサ１１１から入力されるアナログ信号をデジタル信号に変換して体動レベル判定回路１１３へ出力する。
【００８５】
体動レベル判定回路１１３は、Ａ／Ｄ変換回路１１２から入力される体動に比例したデジタル信号に基づいて、単位時間（例えば１分）当たりの体動のピッチ数を算出し、算出した体動ピッチ数を体動データとしてインタフェース回路１０６へ出力する。インタフェース回路１０６は、体動レベル判定回路１１３から入力される体動データとともに、同時に測定された脈拍数データを無線モジュール１０７へ出力する。無線モジュール１０７は、インタフェース回路１０６からの入力データ（脈拍数データ及び体動データ）を携帯型データ転送装置２へ無線送信する。
【００８６】
次に、第２の実施形態による運動状態管理システムの動作を説明する。
先ず、携帯型脈拍計１は、被験者の脈拍数と体動ピッチ数を測定して脈拍数データと体動データを携帯型データ転送装置２へ無線送信する。次いで、携帯型データ転送装置２は、携帯型脈拍計１から受信した脈拍数データと体動データをファイル化してデータファイル３０２を脈拍データ処理部４へ転送する。図１５は、このデータファイル３０２の構成例である。この図１５の脈拍数及び体動ピッチ数は便宜上の値である。図１５に示されるように、同時刻に測定された脈拍数データと体動データ（体動ピッチ数）が対応付けされてデータファイル３０２に格納されている。
【００８７】
次いで、脈拍データ処理部４において、運動状態抽出部４０２は、上記した図１１の運動状態抽出処理により、データファイル３０２から抽出データを求める。そして、この抽出データに対して、データファイル３０２の体動データに基づき補正を行う。具体的には、抽出データに含まれる脈拍数データの中から、同時刻に測定された体動ピッチ数が一定値未満のデータを削除する。すなわち、同時刻に測定された体動ピッチ数が一定値以上の脈拍数データのみにより、抽出データを構成する。これにより、有効な運動状態の抽出がより正確に行われる。
以降の運動状態分析処理、運動診断処理、及び結果出力処理は上記した第１の実施形態と同様に実行される。
【００８８】
この第２の実施形態によれば、有効な運動状態の抽出が正確に行われるので、被験者の運動状態の分析及び診断の精度が向上する。
【００８９】
なお、運動状態分析分析部４０３が、被験者の脈拍数と体動とのアンバランスを検出して警告を発するようにしてもよい。例えば、体動ピッチ数が、安静時レベル、例えば略０であるにもかかわらず、脈拍数が異常に多い場合、例えば安静時心拍数「８０」に対して脈拍数が「１２０」もある場合には、体に何らかの異常がある虞がある旨を警告メッセージとして出力する。
【００９０】
次に、図１６〜図１８を参照して、上記した運動状態管理システムにおける運動状態管理処理の具体的な実施例を示す。図１６は、被験者Ａ氏の測定データ（脈拍数データ及び体動データ）の具体例を示すグラフ図である。図１７は、図１６の測定データから抽出された脈拍数データ（抽出データ）の具体例を示すグラフ図である。図１６、図１７において、横軸は測定開始時点からの経過時間を示している。図１８は、図１７の抽出データに基づく分析結果及び運動指針の表示例を示す図である。
【００９１】
この例では、被験者Ａ氏は５１歳の男性であり、体重が６６Ｋｇ、安静時心拍数は８０である。そして、図１６の測定データは、Ａ氏の帰宅時の会社から自宅までの通勤区間において測定されたものである。図１６において、体動ピッチ数が記録されている期間、測定経過時間の０〜８分までの期間と、１７〜３４分までの期間が、Ａ氏が歩行していた期間である。
【００９２】
そして、図１６の測定データから、上記した運動状態抽出処理により有効な運動状態の脈拍数データが抽出される。この抽出データが図１７に示されている。この運動状態抽出条件は、Ａ氏の判定用運動強度が２０％、運動継続時間が５分以上である。これにより、図１６の脈拍数データのうち、０〜８分までのデータは無効と判断され、１７〜３４分までのデータのみが抽出された。
【００９３】
そして、図１７の抽出データに基づいて運動状態分析処理及び運動診断処理が実行され、表示データが生成される。この表示データの内容が図１８に示されている。この例では、Ａ氏は測定開始後１７分〜３４分までの期間に、運動強度４０％の運動を１７分間実施し、その運動の有効度はＣランクであると分析され、カロリー消費量は７９．８Ｋｃａｌであった。そして、この分析結果から、「あと１０分歩くと、脂肪が燃え始めます」という有酸素運動を促す運動指針が提示されている。なお、分析結果の表示内容として、運動強度の代わりに対応する脈拍数を通知するようにしてもよい。同様に、運動指針として目標の脈拍数を含めるようにしてもよい。
【００９４】
このように本実施形態によれば、被験者が行った運動状態の有効度がランク付けにより具体的に示されるので、専門家に頼ることなく、被験者自身が自らの運動の有り様を的確に把握できる。さらに、具体的な運動指針が示されるので、今後の日常生活の中で運動面での改善を容易に行うことができ、生活習慣病等の予防に寄与することができる。
【００９５】
さらに、個人別に、分析結果及び運動指針のデータを履歴データとして蓄積することにより、各個人の経年変化を把握することができるようになり、ヘルスケアに役立つという効果が得られる。
【００９６】
また、肥満予防法として、筋力を増加させて基礎代謝を上げるトレーニングに対しても、筋力トレーニングの負荷量を脈拍数で捉えることにより、各個人の能力に応じた負荷調節が自宅でも手軽にできるようになる。
【００９７】
また、図５に示す脈拍データ処理装置４が行う各機能を実現するためのプログラムをコンピュータ読み取り可能な記録媒体に記録して、この記録媒体に記録されたプログラムをコンピュータシステムに読み込ませ、実行することにより運動状態管理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９９】
以上、本発明の実施形態を図面を参照して詳述してきたが、具体的な構成はこの実施形態に限られるものではなく、本発明の要旨を逸脱しない範囲の設計変更等も含まれる。
例えば、携帯型データ転送装置２が、携帯型脈拍計１からの測定データをそのまま脈拍データ処理装置４へ転送し、脈拍データ処理装置４が測定された脈拍数データ及び体動データをファイル化してもよい。
【０１００】
また、上述した実施形態では、脈拍計及びデータ転送装置を携帯可能なものとしたが、固定式のものであってもよい。
【０１０１】
また、上述した実施形態では、運動状態の分析結果及び運動指針を表示出力したが、出力方法はこれに限定されない。例えば、プリンタ装置で印字出力するようにしてもよい。又は音声出力装置により音声で出力するようにしてもよい。
【０１０２】
【発明の効果】
以上説明したように、本発明によれば、被験者の脈拍数データから有効な運動状態の部分を抽出して分析するので、被験者が有効な運動をどの程度行っているのかが分かり、効果的な運動指針を得ることができる。さらに、具体的な運動指針を提示するので、専門家に頼ることなく運動指針が得られる。
【図面の簡単な説明】
【図１】本発明の実施形態による運動状態管理システムの全体構成を示すブロック図である。
【図２】本発明の第１の実施形態による携帯型脈拍計１の構成を示すブロック図である。
【図３】図２に示す携帯型脈拍計１の外観図である。
【図４】本発明の第１の実施形態による携帯型データ転送装置２の構成を示すブロック図である。
【図５】本発明の第１の実施形態による脈拍データ処理装置４の構成を示すブロック図である。
【図６】運動ランクテーブル４１２の構成例を示す図である。
【図７】運動診断テーブル４１３の構成例を示す図である。
【図８】性別年齢別補正係数テーブル４２１の構成例を示す図である。
【図９】エネルギー代謝率テーブル４２２の構成例を示す図である。
【図１０】図１に示す運動状態管理システムが行う運動状態管理処理の全体の流れを示すフローチャートである。
【図１１】図５に示す運動状態抽出部４０２が行う運動状態抽出処理の流れを示すフローチャートである。
【図１２】図５に示す運動状態分析部４０３が行う運動状態分析処理の流れを示すフローチャートである。
【図１３】本発明の第１の実施形態によるデータファイル３０１の構成例を示す図である。
【図１４】本発明の第２の実施形態による携帯型脈拍計１の構成を示すブロック図である。
【図１５】本発明の第２の実施形態によるデータファイル３０２の構成例である。
【図１６】測定データ（脈拍数データ及び体動データ）の具体例を示すグラフ図である。
【図１７】図１６の測定データから抽出された脈拍数データ（抽出データ）の具体例を示すグラフ図である。
【図１８】図１７の抽出データに基づく分析結果及び運動指針の表示例を示す図である。
【符号の説明】
１…携帯型脈拍計、２…携帯型データ転送装置、３…通信ネットワーク、４…脈拍データ処理装置、５…表示端末、１０１…脈拍センサ、１０２…脈拍数演算回路、１０３…脈拍数記憶メモリ、１０４…表示回路、１０５…タイミング信号発生回路、１０６…インタフェース回路、１０７，２０１…無線モジュール、１１１…加速度センサ、１１２…アナログ／デジタル（Ａ／Ｄ）変換回路、１１３…体動レベル判定回路、２０２…データファイル化部、２０３…ファイル記憶部、２０４…ファイル転送部、２０５…無線通信部、３０１，３０２…データファイル、４０１…ファイル受信部、４０２…運動状態抽出部、４０３…運動状態分析部、４０４…運動診断部、４０５…表示データ生成部、４０６…データ送信部、４１０…記憶部、４１１…個人別管理データベース、４１２…運動ランクテーブル、４１３…運動診断テーブル、４２１…性別年齢別補正係数テーブル、４２２…エネルギー代謝率テーブル
【図１】
2004350947.tif 000003
【図２】
2004350947.tif 000004
【図３】
2004350947.tif 000005
【図４】
2004350947.tif 000006
【図５】
2004350947.tif 000007
【図６】
2004350947.tif 000008
【図７】
2004350947.tif 000009
【図８】
2004350947.tif 000010
【図９】
2004350947.tif 000011
【図１０】
2004350947.tif 000012
【図１１】
2004350947.tif 000013
【図１２】
2004350947.tif 000014
【図１３】
2004350947.tif 000015
【図１４】
2004350947.tif 000016
【図１５】
2004350947.tif 000017
【図１６】
2004350947.tif 000018
【図１７】
2004350947.tif 000019
【図１８】
2004350947.tif 000020